【手続補正書】
【提出日】平成24年9月10日(2012.9.10)
【手続補正１】
【補正対象書類名】特許請求の範囲
【補正対象項目名】全文
【補正方法】変更
【補正の内容】
【特許請求の範囲】
【請求項１】
Ｒ‐１２４３ｚｆ、Ｒ‐３２（ジフルオロメタン）およびＲ‐１６１（フルオロエタン）を含んでなる、熱伝達組成物。
【請求項２】
組成物の合計重量基準で、約５０〜約９９重量％のＲ‐１２４３ｚｆ、約０．５〜約２５重量％のＲ‐１６１および約０．５〜約２５重量％のＲ‐３２を含んでなる、請求項１に記載の組成物。
【請求項３】
組成物の合計重量基準で、約７０〜約９８重量％のＲ‐１２４３ｚｆ、約１〜約１５重量％のＲ‐１６１および約１〜約１５重量％のＲ‐３２を含んでなる、請求項２に記載の組成物。
【請求項４】
Ｒ‐１２３４ｙｆ、Ｒ‐１３４ａまたはそれらの混合物をさらに含んでなる、請求項１〜３のいずれか一項に記載の組成物。
【請求項５】
組成物がＲ‐１２４３ｚｆ、Ｒ‐３２、Ｒ‐１６１およびＲ‐１２３４ｙｆのブレンドである、請求項４に記載の組成物。
【請求項６】
組成物の合計重量基準で、約１５〜約８０重量％のＲ‐１２４３ｚｆ、約１５〜約８０％のＲ‐１２３４ｙｆ、約１〜約２５％のＲ‐３２および約１〜約２５％のＲ‐１６１を含んでなる、請求項５に記載の組成物。
【請求項７】
組成物の合計重量基準で、約２０〜約７０重量％のＲ‐１２４３ｚｆ、約２０〜約７０％のＲ‐１２３４ｙｆ、約２〜約１５％のＲ‐３２および約２〜約１５％のＲ‐１６１を含んでなる、請求項６に記載の組成物。
【請求項８】
ペンタフルオロエタン（Ｒ‐１２５）、二酸化炭素（Ｒ‐７４４）またはそれらの混合物をさらに含んでなる、請求項１〜７のいずれか一項に記載の組成物。
【請求項９】
組成物が３５００未満、好ましくは２０００未満のＧＷＰを有している、請求項１〜８のいずれか一項に記載の組成物。
【請求項１０】
組成物が１０００未満、好ましくは１５０未満のＧＷＰを有している、請求項９に記載の組成物。
【請求項１１】
温度勾配が約１５Ｋ未満、好ましくは約１０Ｋ未満である、請求項１〜１０のいずれか一項に記載の組成物。
【請求項１２】
組成物が、置き換えようと意図される既存の冷媒の約１５％以内、好ましくは約１０％以内の体積冷却能力を有している、請求項１〜１１のいずれか一項に記載の組成物。
【請求項１３】
組成物がＲ‐１２４３ｚｆ単独よりも可燃性が低い、請求項１〜１２のいずれか一項に記載の組成物。
【請求項１４】
組成物が、Ｒ‐１２４３ｚｆ単独と比べて、
（ａ）高い可燃限界、
（ｂ）高い点火エネルギー、および／または
（ｃ）低い火炎速度、
を有している、請求項１３に記載の組成物。
【請求項１５】
不燃性である、請求項１３または１４に記載の組成物。
【請求項１６】
組成物が、置き換えようと意図される既存の冷媒の約１０％以内のサイクル効率を有している、請求項１〜１５のいずれか一項に記載の組成物。
【請求項１７】
組成物が、置き換えようと意図される既存の冷媒の約１５Ｋ以内、好ましくは約１０Ｋ以内の圧縮器吐出温度を有している、請求項１〜１６のいずれか一項に記載の組成物。
【請求項１８】
潤滑剤をさらに含んでなる、請求項１〜１７のいずれか一項に記載の組成物。
【請求項１９】
潤滑剤が、鉱油、シリコーン油、ポリアルキルベンゼン類（ＰＡＢｓ）、ポリオールエステル類（ＰＯＥｓ）、ポリアルキレングリコール類（ＰＡＧ）、ポリアルキレングリコールエステル類（ＰＡＧエステル類）、ポリビニルエーテル類（ＰＶＥｓ）、ポリ（アルファ‐オレフィン類）およびそれらの組合せから選択される、請求項１８に記載の組成物。
【請求項２０】
安定剤をさらに含んでなる、請求項１〜１９のいずれか一項に記載の組成物。
【請求項２１】
安定剤が、ジエン系化合物類、ホスフェート類、フェノール化合物類およびエポキシド類とそれらの混合物から選択される、請求項２０に記載の組成物。
【請求項２２】
追加の難燃剤をさらに含んでなる、請求項１〜２１のいずれか一項に記載の組成物。
【請求項２３】
追加の難燃剤が、トリ（２‐クロロエチル）ホスフェート、（クロロプロピル）ホスフェート、トリ（２，３‐ジブロモプロピル）ホスフェート、トリ（１，３‐ジクロロプロピル）ホスフェート、リン酸二アンモニウム、様々なハロゲン化芳香族化合物、酸化アンチモン、アルミニウム三水和物、ポリ塩化ビニル、フッ素化ヨードカーボン、フッ素化ブロモカーボン、トリフルオロヨードメタン、ペルフルオロアルキルアミン類、ブロモ‐フルオロアルキルアミン類およびそれらの混合物からなる群より選択される、請求項２２に記載の組成物。
【請求項２４】
冷媒組成物である、請求項１〜２３のいずれか一項に記載の組成物。
【請求項２５】
請求項１〜２４のいずれか一項に記載の組成物を含有している、熱伝達装置。
【請求項２６】
熱伝達装置における、請求項１〜２４のいずれか一項に記載の組成物の使用。
【請求項２７】
冷却装置である、請求項２５または２６に記載の熱伝達装置。
【請求項２８】
自動車空調システム、住宅用空調システム、業務用空調システム、住宅用冷蔵庫システム、住宅用冷凍庫システム、業務用冷蔵庫システム、業務用冷凍庫システム、冷却機空調システム、冷却機冷却システムと、業務用または住宅用ヒートポンプシステムからなる群より選択される、請求項２７に記載の熱伝達装置。
【請求項２９】
圧縮器を内蔵している、請求項２７または２８に記載の熱伝達装置。
【請求項３０】
請求項１〜２４のいずれか一項に記載の組成物を含んでなる、発泡剤。
【請求項３１】
発泡体を形成可能な１種以上の成分と、請求項１〜２４のいずれか一項に記載の組成物とを含んでなる発泡性組成物であって、発泡体を形成可能な１種以上の成分が、ポリウレタン類、熱可塑性ポリマーおよび樹脂、例えばポリスチレン、およびエポキシ樹脂、ならびにそれらの混合物から選択される、発泡性組成物。
【請求項３２】
請求項３１に記載の発泡性組成物から得られる、発泡体。
【請求項３３】
請求項１〜２４のいずれか一項に記載の組成物を含んでなる、請求項３２に記載の発泡体。
【請求項３４】
スプレーされるべき物質と、請求項１〜２４のいずれか一項に記載の組成物を含んでなる噴射剤とを含んでなる、スプレー用組成物。
【請求項３５】
請求項１〜２４のいずれか一項に記載の組成物を凝縮させ、その後、冷却されるべき物品の近くで該組成物を蒸発させることを含んでなる、物品を冷却する方法。
【請求項３６】
加熱されるべき物品の近くで請求項１〜２４のいずれか一項に記載の組成物を凝縮させ、その後、該組成物を蒸発させることを含んでなる、物品を加熱する方法。
【請求項３７】
請求項１〜２４のいずれか一項に記載の組成物を含んでなる溶媒とバイオマスを接触させ、該溶媒から物質を分離することを含んでなる、バイオマスから物質を抽出する方法。
【請求項３８】
物品を請求項１〜２４のいずれか一項に記載の組成物を含んでなる溶媒と接触させることを含んでなる、物品を清浄化する方法。
【請求項３９】
請求項１〜２４のいずれか一項に記載の組成物を含んでなる溶媒と水溶液を接触させ、該溶媒から物質を分離することを含んでなる、水溶液から物質を抽出する方法。
【請求項４０】
粒状固体マトリックスを請求項１〜２４のいずれか一項に記載の組成物を含んでなる溶媒と接触させ、該溶媒から物質を分離することを含んでなる、粒状固体マトリックスから物質を抽出する方法。
【請求項４１】
請求項１〜２４のいずれか一項に記載の組成物を含有している、機械的動力発生装置。
【請求項４２】
ランキンサイクルまたはその変法を用いて熱から動力を発生するように構成されている、請求項４１に記載の機械的動力発生装置。
【請求項４３】
既存の熱伝達流体を除去して、請求項１〜２４のいずれか一項に記載の組成物を導入する工程を含んでなる、熱伝達装置を改修する方法。
【請求項４４】
熱伝達装置が冷却装置である、請求項４３に記載の方法。
【請求項４５】
熱伝達装置が空調システムである、請求項４４に記載の方法。
【請求項４６】
既存の化合物または組成物を含んでなる製品の取扱いから生じる環境影響を減らす方法であって、少なくとも部分的に既存の化合物または組成物を請求項１〜２４のいずれか一項に記載の組成物で置き換えることを含んでなる、方法。
【請求項４７】
Ｒ‐１３４ａを含有する、請求項１〜２４のいずれか一項に記載の組成物および／または請求項２５または２７〜２９のいずれか一項に記載の熱伝達装置を製造する方法であって、Ｒ‐１２４３ｚｆ、Ｒ‐３２、Ｒ‐１６１、あらゆる任意のＲ‐１２３４ｙｆおよび／またはＲ‐１２５および／またはＲ‐７４４、ならびに所望により潤滑剤、安定剤および／または追加の難燃剤を、Ｒ‐１３４ａである既存の熱伝達流体を含有した熱伝達装置へ導入することを含んでなる、方法。
【請求項４８】
Ｒ‐１２４３ｚｆ、Ｒ‐３２、Ｒ‐１６１、あらゆる任意のＲ‐１２３４ｙｆおよび／またはＲ‐１２５および／またはＲ‐７４４、ならびに所望により潤滑剤、安定剤および／または追加の難燃剤を導入する前に、既存のＲ‐１３４ａの少なくとも一部を熱伝達装置から除去する工程を含んでなる、請求項４７に記載の方法。
【請求項４９】
製品が熱伝達装置、発泡剤、発泡性組成物、スプレー用組成物、溶媒または機械的動力発生装置から選択される、請求項４８に記載の方法。
【請求項５０】
製品が熱伝達装置である、請求項４９に記載の方法。
【請求項５１】
既存の化合物または組成物が熱伝達組成物である、請求項４８〜５０のいずれか一項に記載の方法。
【請求項５２】
熱伝達組成物が、Ｒ‐２２、Ｒ‐４１０Ａ、Ｒ‐４０７Ａ、Ｒ‐４０７Ｂ、Ｒ‐４０７Ｃ、Ｒ５０７およびＲ‐４０４ａから選択される冷媒である、請求項５１に記載の方法。
【請求項５３】
熱伝達組成物が、Ｒ‐１３４ａ、Ｒ‐１２３４ｙｆおよびＲ‐１５２ａから選択される冷媒である、請求項５１に記載の方法。